(57)【特許請求の範囲】
【請求項１】
クランクケース（１１）で回転自在に支承されるクランクシャフト（１７）に固設される駆動スプロケット（３２）と、前記クランクケース（１１）よりも前方に配置されるシリンダヘッド（１３）に回転自在に支承されるカムシャフト（３１）に固設される被動スプロケット（３３）とに、無端状のカムチェーン（３４）が巻き掛けられ、エンジン温度を代表する温度を検出する温度検出器（３５）の検出値に応じて燃料を噴射するように制御される燃料噴射弁（２７）を含む吸気系（２１）が、前記シリンダヘッド（１３）に接続されるスクータ型車両用強制空冷エンジンにおいて、前記温度検出器（３５）が、前記シリンダヘッド（１３）に結合されるヘッドカバー（２９）内で前記カムチェーン（３４）から飛散するエンジンオイルの温度を検出するようにして、前記ヘッドカバー（２９）に取付けられることを特徴とするスクータ型車両用強制空冷エンジン。
【請求項２】
前記クランクシャフト（１７）およびカムシャフト（３１）の軸線に直交する方向への前記カムチェーン（３４）の投影図上に少なくとも一部を配置するようにして、前記温度検出器（３５）がヘッドカバー（２９）の下部に取付けられることを特徴とする請求項１記載のスクータ型車両用強制空冷エンジン。
【請求項３】
前記ヘッドカバー（２９）の下部内面に、オイル溜まり部（３９）が形成され、前記温度検出器（３５）が該オイル溜まり部（３９）に臨んで前記ヘッドカバー（２９）の下部に取付けられることを特徴とする請求項２記載のスクータ型車両用強制空冷エンジン。
【発明の詳細な説明】
【０００１】
【発明の属する技術分野】
本発明は、クランクケースで回転自在に支承されるクランクシャフトに固設される駆動スプロケットと、前記クランクケースよりも前方に配置されるシリンダヘッドに回転自在に支承されるカムシャフトに固設される被動スプロケットとに、無端状のカムチェーンが巻き掛けられ、エンジン温度を代表する温度を検出する温度検出器の検出値に応じて燃料を噴射するように制御される燃料噴射弁を含む吸気系が、前記シリンダヘッドに接続されるスクータ型車両用強制空冷エンジンに関する。
【０００２】
【従来の技術】
従来、スクータ型車両に搭載される強制空冷エンジンの吸気系に燃料噴射弁が設けられる構成が、たとえば特開２０００−６４９２５号公報等で既に知られている。
【０００３】
【発明が解決しようとする課題】
ところで、燃料噴射弁の燃料噴射量を制御するにあたって、エンジン温度に応じて燃料噴射量を補正することが従来から一般的に行なわれており、この場合、吸気系近傍のエンジン本体の温度を検出して燃料噴射制御に反映させることが多い。
【０００４】
ところがスクータ型車両の強制空冷エンジンの場合には、エンジンがシュラウドで覆われるだけでなく、エンジン周辺が車体カバーで覆われているので、車両走行後の放置時にエンジン検出温度が車体カバー内雰囲気温度に影響される。すなわちエンジンからの輻射熱を受けて車体カバー内に熱がこもることにより、検出温度が上昇してエンジン温度の降温特性に同調できなくなってしまうと言う問題がある。また加速時等のエンジン運転の過渡期に吸気系での燃料の急激な気化潜熱増加に伴って正確なエンジン温度に到達するのに時間がかかってしまい、エンジン温度の昇温特性に同調できなくなってしまうと言う問題がある。
【０００５】
本発明は、かかる事情に鑑みてなされたものであり、実際のエンジン温度の降温および昇温特性により同調したエンジン検出温度を得て燃料噴射制御に反映させ得るようにしたスクータ型車両用強制空冷エンジンを提供することを目的とする。
【０００６】
【課題を解決するための手段】
上記目的を達成するために、請求項１記載の発明は、クランクケースで回転自在に支承されるクランクシャフトに固設される駆動スプロケットと、前記クランクケースよりも前方に配置されるシリンダヘッドに回転自在に支承されるカムシャフトに固設される被動スプロケットとに、無端状のカムチェーンが巻き掛けられ、エンジン温度を代表する温度を検出する温度検出器の検出値に応じて燃料を噴射するように制御される燃料噴射弁を含む吸気系が、前記シリンダヘッドに接続されるスクータ型車両用強制空冷エンジンにおいて、前記温度検出器が、前記シリンダヘッドに結合されるヘッドカバー内で前記カムチェーンから飛散するエンジンオイルの温度を検出するようにして、前記ヘッドカバーに取付けられることを特徴とする。
【０００７】
このような構成によれば、温度検出器は、ヘッドカバー内雰囲気温度のみならず、カムチェーンから飛散したエンジンオイルの温度を検出することになり、カムチェーンから飛散したエンジンオイルの温度は実際のエンジン温度に同調して変化するものであり、シュラウドおよび車体カバーで覆われる強制空冷エンジンにおいて、シュラウドおよび車体カバーで覆われることによる検出温度への影響を排除するとともに、吸気系における燃料の気化潜熱の影響を受けることもないようにして、実際のエンジン温度の降温および昇温特性により同調したエンジン検出温度を得て、より的確な燃料噴射制御を行なうことができる。
【０００８】
また請求項２記載の発明は、上記請求項１記載の発明の構成に加えて、前記クランクシャフトおよびカムシャフトの軸線に直交する方向への前記カムチェーンの投影図上に少なくとも一部を配置するようにして、前記温度検出器がヘッドカバーの下部に取付けられることを特徴とし、かかる構成によれば、エンジンオイルをカムチェーンから温度検出器側に飛散させるとともに、ヘッドカバー内の下部に集まるオイルの温度を温度検出器で検出するようにして、エンジンオイルの温度をより確実に検出することができる。
【０００９】
さらに請求項３記載の発明は、上記請求項２記載の発明の構成に加えて、前記ヘッドカバーの下部内面に、オイル溜まり部が形成され、前記温度検出器が該オイル溜まり部に臨んで前記ヘッドカバーの下部に取付けられることを特徴とし、かかる構成によれば、温度検出器をオイル溜まり部内のエンジンオイル中に浸すことで、オイル温度をより重視した温度検出が可能となる。
【００１０】
【発明の実施の形態】
以下、本発明の実施の形態を、添付の図面に示した本発明の実施例に基づいて説明する。
【００１１】
図１〜図４は本発明の第１実施例を示すものであり、図１はスクータ型自動二輪車の側面図、図２はパワーユニットおよび後輪の拡大側面図、図３はエンジンの横断平面図、図４は図３の４−４線拡大断面図である。
【００１２】
先ず図１において、本発明を適用したスクータ型自動二輪車の車体５は、図示しない車体フレームが合成樹脂から成る車体カバー６で覆われて成るものであり、前記車体フレームの前端で操向可能に支承されるフロントフォーク７の下端に前輪ＷＦが軸支され、フロントフォーク７の上部に操向ハンドル８が連結される。また車体フレームの中間部にはパワーユニットＰが上下に揺動可能に支承されており、このパワーユニットＰの後端に後輪ＷＲが軸支される。さらに車体５の後部には乗員用シート９が設けられる。
【００１３】
図２および図３を併せて参照して、パワーユニットＰは、シリンダ軸線をほぼ水平とした強制空冷エンジンＥと、この強制空冷エンジンＥの出力を無段階に変速して後輪ＷＲに伝達するベルト式の無段変速機Ｍとから成るものであり、無段変速機Ｍの変速機ケース１０は強制空冷エンジンＥのクランクケース１１に連設されて後方に延出され、該変速機ケース１０の後端部に後輪ＷＲが軸支される。
【００１４】
強制空冷エンジンＥにおける前記クランクケース１１の一部と、クランクケース１１の前方に配置されて該クランクケース１１に結合されるシリンダブロック１２と、シリンダブロック１２よりもさらに前方に配置されて該シリンダブロック１２に結合されるシリンダヘッド１３とは、シュラウド１４で覆われるものであり、シリンダブロック１２およびシリンダヘッド１３の外面には多数の冷却フィン１５…が突設される。
【００１５】
シリンダブロック１２に摺動可能に嵌合されるピストン１６に連結されるクランクシャフト１７はクランクケース１１で回転自在に支承されており、該クランクシャフト１７の一端は前記無段変速機Ｍの入力側に連結される。またクランクケース１１から突出したクランクシャフト１７の他端部には、発電機１８が連結されるとともに冷却ファン１９が連結されており、該冷却ファン１９に対応する部分でシュラウド１４には吸気口２０が設けられる。而して強制空冷エンジンＥの作動に応じて回転する冷却ファン１９は吸気口２０から外部の空気を吸入し、さらにシリンダブロック１２およびシリンダヘッド１３の側方を通過するようにシュラウド１４内に冷却空気を吐出する。
【００１６】
前記強制空冷エンジンＥの吸気系２１は、変速機ケース１０の上方かつ後輪ＷＲの側方に配置されるエアクリーナ２２と、該エアクリーナ２２の出口に上流端が接続されるコネクティングチューブ２３と、スロットル弁２４を有してコネクティングチューブ２３の下流端に接続されるスロットルボディ２５と、シュラウド１４を貫通してスロットルボディ２５およびシリンダヘッド１３の上側部間を結ぶ吸気管２６とを備え、燃料噴射弁２７が吸気管２６に取付けられる。またシリンダヘッド１３の下側部に接続されてシュラウド１４を貫通する排気管２８が後方側に延出される。
【００１７】
強制空冷エンジンＥのシリンダヘッド１３には、シュラウド１４の前部から一部を前方に突出させるヘッドカバー２９が結合されており、ヘッドカバー２９およびシリンダヘッド１３間には、前記吸気管２６からの吸気を制御する吸気弁（図示せず）ならびに前記排気管２８への排気を制御する排気弁（図示せず）を回避駆動する動弁装置３０が収納される。
【００１８】
前記動弁装置３０は、クランクシャフト１７の軸線と平行な軸線を有してシリンダヘッド１３に回転自在に支承されるカムシャフト３１を備えており、クランクシャフト１７に固設される駆動スプロケット３２と、前記カムシャフト３２に固設される被動スプロケット３３とに、無端状のカムチェーン３４が巻き掛けられ、クランクシャフト１７の回転動力が１／２に減速されて前記カムシャフト３１に伝達される。
【００１９】
燃料噴射弁２７の燃料噴射量は車体５に搭載されるコントローラＣにより制御されるものであり、該コントローラＣは、エンジン温度を勘案した噴射量で燃料を噴射するように燃料噴射弁２７の作動を制御する。
【００２０】
しかもエンジン温度を代表する温度としてエンジンオイルの温度を検出する温度検出器３５の検出値が前記コントローラＣに入力されており、温度検出器３５は、前記ヘッドカバー２９内で前記カムチェーン３４から飛散するエンジンオイルの温度を検出するようにしてヘッドカバー２９の下部に取付けられる。
【００２１】
図４において、温度検出器３５は、ヘッドカバー２９に設けられたねじ孔３６に螺合されるボルト部３５ａと、該ボルト部３５ａの内端から突出してヘッドパイプ２９内に突入する検出子３５ｂと、接続端子３７…を臨ませてボルト部３５ａの外端に連設されるカプラ部３５ｃとで構成され、ヘッドカバー２９の外面との間に金属平ワッシャ３８を介在させて、ヘッドカバー２９の下部に螺合される。
【００２２】
しかも温度検出器３５は、クランクシャフト１７およびカムシャフト３１の軸線に直交する方向への前記カムチェーン３４の投影図上に少なくとも一部を配置するようにして、ヘッドカバー２９の下部に取付けられる。
【００２３】
次にこの第１実施例の作用について説明すると、エンジン温度を勘案した噴射量で燃料を噴射するように燃料噴射弁２７の作動を制御するコントローラＣには、温度検出器３０の検出値が入力され、温度検出器３５は、ヘッドカバー２９内でカムチェーン３４から飛散するエンジンオイルの温度を検出するようにしてヘッドカバー２９に取付けられている。
【００２４】
したがって、温度検出器３５は、ヘッドカバー２９内の雰囲気温度のみならず、カムチェーン３４から飛散したエンジンオイルの温度を検出することになる。しかもカムチェーン３４から飛散したエンジンオイルの温度は実際のエンジン温度に同調して変化するものであり、シュラウド１４および車体カバー６で覆われる強制空冷エンジンＥにおいて、シュラウド１４および車体カバー６で覆われることによる検出温度への影響を排除するとともに、吸気系２１における燃料の気化潜熱の影響を受けることもないようにして、実際のエンジン温度の降温および昇温特性により同調したエンジン検出温度を得て、より的確な燃料噴射制御を行なうことができる。
【００２５】
また温度検出器３５は、クランクシャフト１７およびカムシャフト３１の軸線に直交する方向へのカムチェーン３４の投影図上に少なくとも一部を配置するようにしてヘッドカバー２９の下部に取付けられるので、エンジンオイルをカムチェーン３４から温度検出器３５側に飛散させるとともに、ヘッドカバー２９内の下部に集まるオイルの温度を温度検出器３５で検出するようにして、エンジンオイルの温度を温度検出器３５でより確実に検出することができる。
【００２６】
図５は本発明の第２実施例を示すものであり、ヘッドカバー２９の下部内面には、オイル溜まり部３９を形成するための突部２９ａが一体に突設されており、温度検出器３５は、オイル溜まり部３９に臨むようにしてヘッドカバー２９の下部に取付けられる。
【００２７】
この第２実施例によれば、温度検出器３５の検出子３５ｂをオイル溜まり部３９内のエンジンオイル中に浸すことで、オイル温度をより重視した温度検出が可能となる。
【００２８】
以上、本発明の実施例を説明したが、本発明は上記実施例に限定されるものではなく、特許請求の範囲に記載された本発明を逸脱することなく種々の設計変更を行うことが可能である。
【００２９】
たとえば上記実施例では、本発明をスクータ型自動二輪車に適用した場合について説明したが、本発明をスクータ型自動三輪車用に適用することも可能である。
【００３０】
【発明の効果】
以上のように請求項１記載の発明によれば、シュラウドおよび車体カバーで覆われることによる検出温度への影響を排除するとともに、吸気系における燃料の気化潜熱の影響を受けることもないようにして、実際のエンジン温度の降温および昇温特性より同調したエンジン検出温度を得て、より的確な燃料噴射制御を行なうことができる。
【００３１】
また請求項２記載の発明によれば、エンジンオイルをカムチェーンから温度検出器側に飛散させるとともに、ヘッドカバー内の下部に集まるオイルの温度を温度検出器で検出するようにして、エンジンオイルの温度をより確実に検出することができる。
【００３２】
さらに請求項３記載の発明によれば、度検出器をオイル溜まり部内のエンジンオイル中に浸すことで、オイル温度をより重視した温度検出が可能となる。
【図面の簡単な説明】
【図１】第１実施例のスクータ型自動二輪車の側面図である。
【図２】パワーユニットおよび後輪の拡大側面図である。
【図３】エンジンの横断平面図である。
【図４】図３の４−４線拡大断面図である。
【図５】第２実施例の図４に対応した断面図である。
【符号の説明】
１１・・・クランクケース
１３・・・シリンダヘッド
１７・・・クランクシャフト
２１・・・吸気系
２７・・・燃料噴射弁
２９・・・ヘッドカバー
３１・・・カムシャフト
３２・・・駆動スプロケット
３３・・・被動スプロケット
３４・・・カムチェーン
３５・・・温度検出器
３９・・・オイル溜まり部
Ｅ・・・強制空冷エンジン
【図１】
0003686050.tif 000002
【図２】
0003686050.tif 000003
【図３】
0003686050.tif 000004
【図４】
0003686050.tif 000005
【図５】
0003686050.tif 000006